(57)【要約】【課題】複数の画像データを一定の領域に配置した場合に、印刷プレビューの内容の確認が容易となる印刷機能付きプロジェクタを提供する。【解決手段】画像データを印刷する印刷部１１と、画像データを投影面に投影する投影部１０を有する印刷機能付きプロジェクタにおいて、外部から入力される画像データを取得する外部データ入力手段と、前記外部データ入力手段が取得した画像データを保存する画像データ保存手段１９ｂと、ユーザが選択した、画像データ保存手段１９ｂに保存された１又は２以上の画像データを、一定の領域に配置して印刷イメージを生成する印刷イメージ生成手段１９ｃと、前記印刷イメージを、投影用の画像形式に変換する画像変換手段１９eと、画像変換手段１９eにより、投影用の画像形式に変換された印刷イメージを投影部１０に出力する印刷イメージ投影手段１９ｆを有する。【選択図】図２
2008282078.tif 000002
【特許請求の範囲】
【請求項１】
画像データを印刷する印刷部と、画像データを投影面に投影する投影部を有する印刷機能付きプロジェクタにおいて、
外部から入力される画像データを取得する外部データ入力手段と、
前記外部データ入力手段が取得した画像データを保存する画像データ保存手段と、
ユーザが選択した、前記画像データ保存手段に保存された１又は２以上の画像データを、一定の領域に配置して印刷イメージを生成する印刷イメージ生成手段と、
前記印刷イメージを、投影用の画像形式に変換する画像変換手段と、
前記画像変換手段により、投影用の画像形式に変換された印刷イメージを前記投影部に出力する印刷イメージ投影手段と、
ユーザが印刷することを選択した場合に、印刷イメージを前記印刷部に出力する印刷選択手段と、
を有することを特徴とする印刷機能付きプロジェクタ。
【請求項２】
画像データ保存手段に保存された画像データを所定の方法で表示する表示部を設け、
前記表示部に表示された画像データを、ユーザが選択することで前記投影部に出力することを特徴とする請求項１に記載の印刷機能付きプロジェクタ。
【請求項３】
投影部により投影される投影面に、画像データ保存手段に保存された画像データをさらに並列して投影し、前記投影面に投影された画像データを、ユーザが選択することで印刷イメージを生成することを特徴とする請求項１に記載の印刷機能付きプロジェクタ。
【請求項４】
外部入力手段は、複数種類のインターフェースにより画像データを取得可能なことを特徴とする請求項１〜３のいずれかに記載の印刷機能付きプロジェクタ。
【請求項５】
外部入力手段は、複数種類の画像フォーマットを取得可能なことを特徴とする請求項１〜４のいずれかに記載の印刷機能付きプロジェクタ。
【請求項６】
印刷イメージ生成手段は、一定の領域に１又は２以上の画像データを配置する、複数の印刷イメージのレイアウトから１の印刷イメージのレイアウトを選択して、印刷イメージを生成することを特徴とする請求項１〜請求項５のいずれかに記載の印刷機能付きプロジェクタ。
【請求項７】
一定の領域に配置される画像データを、ユーザが編集することを特徴とする請求項１〜請求項６のいずれかに記載の印刷機能付きプロジェクタ。
【発明の詳細な説明】
【技術分野】
【０００１】
本発明は、印刷機能付きプロジェクタの印刷プレビューに関するものである。
【背景技術】
【０００２】
従来から特許文献１に示されるように、プリンタとプロジェクタが一体となった複合機が提案されている。このような複合機で印刷プレビューを行うとき、複合機に付属の小さな液晶表示画面で印刷プレビューを見ていたので、いわゆる４ｉｎ１等のレイアウトのように、複数の画像データを一定の領域に配置するレイアウトで印刷する場合には、この印刷プレビューの内容を確認することが困難であった。
【０００３】
そこで、特許文献２に示されるような、対象となる印刷イメージを想定された通りの内容で描画可能とすることができるプレビュー装置が提案されている。しかしながら、この特許文献２には、複数の画像データを一定の領域に配置するレイアウトで印刷する場合にプレビューを見やすくするための解決方法についての記載はない。
【特許文献１】特開２００３−２０９６４６号公報
【特許文献２】特開２００４−１３３９０５号公報
【発明の開示】
【発明が解決しようとする課題】
【０００４】
複数の画像データを一定の領域に配置した場合に、印刷プレビューの内容の確認が容易となる印刷機能付きプロジェクタを提供する。
【課題を解決するための手段】
【０００５】
上記課題を解決するためになされた請求項１に記載の発明は、画像データを印刷する印刷部と、画像データを投影面に投影する投影部を有する印刷機能付きプロジェクタにおいて、
外部から入力される画像データを取得する外部データ入力手段と、
前記外部データ入力手段が取得した画像データを保存する画像データ保存手段と、
ユーザが選択した、前記画像データ保存手段に保存された１又は２以上の画像データを、一定の領域に配置して印刷イメージを生成する印刷イメージ生成手段と、
前記印刷イメージを、投影用の画像形式に変換する画像変換手段と、
前記画像変換手段により、投影用の画像形式に変換された印刷イメージを前記投影部に出力する印刷イメージ投影手段と、
ユーザが印刷することを選択した場合に、印刷イメージを前記印刷部に出力する印刷選択手段と、
を有することを特徴とする。
【０００６】
また、請求項２に記載の発明は、画像データ保存手段に保存された画像データを所定の方法で表示する表示部を設け、
前記表示部に表示された画像データを、ユーザが選択することで前記投影部に出力することを特徴とする。なお、表示部に、前記画像データを１つずつ表示することが好ましい。
【０００７】
また、請求項３に記載の発明は、投影部により投影される投影面に、画像データ保存手段に保存された画像データをさらに並列して投影し、前記投影面に投影された画像データを、ユーザが選択することで印刷イメージを生成することを特徴とする。
【０００８】
また、請求項４に記載の発明の外部入力手段は、複数種類のインターフェースにより画像データを取得可能なことを特徴とする。
【０００９】
また、請求項５に記載の発明の外部入力手段は、複数種類の画像フォーマットを取得可能なことを特徴とする。
【００１０】
また、請求項６に記載の発明の印刷イメージ生成手段は、一定の領域に１又は２以上の画像データを配置する、複数の印刷イメージのレイアウトから１の印刷イメージのレイアウトを選択して、印刷イメージを生成することを特徴とする。
【００１１】
また、請求項７に記載の発明は、一定の領域に配置される画像データを、ユーザが編集することを特徴とする。
【発明の効果】
【００１２】
請求項１に記載の発明によれば、画像データを印刷する印刷部と、画像データを投影面に投影する投影部を有する印刷機能付きプロジェクタにおいて、外部から入力される画像データを取得する外部データ入力手段と、前記外部データ入力手段が取得した画像データを保存する画像データ保存手段と、ユーザが選択した、前記画像データ保存手段に保存された１又は２以上の画像データを、一定の領域に配置して印刷イメージを生成する印刷イメージ生成手段と、前記印刷イメージを、投影用の画像形式に変換する画像変換手段と、前記画像変換手段により、投影用の画像形式に変換された印刷イメージを前記投影部に出力する印刷イメージ投影手段と、ユーザが印刷することを選択した場合に、印刷イメージを前記印刷部に出力する印刷選択手段を有する。これにより、印刷プレビューが投影面に投影されるので、従来のように、ユーザが複合機に付属の小さな表示画面で印刷プレビューを見る必要がなくなり、印刷プレビューが大きく表示される前記投影面を見て、印刷プレビューを確認することが可能となり、印刷プレビューの内容の確認が容易になる。
【００１３】
また、請求項２に記載の発明は、画像データ保存手段に保存された画像データを所定の方法で表示する表示部を設け、前記表示部に表示された画像データを、ユーザが選択することで前記投影部に出力する。このため、所定の方法で表示部に画像データを表示するので、見づらくなく、画像データの内容の確認が容易となり、画像データの選択作業を効率良く行うことが可能となる。なお、表示部に、前記画像データを１つずつ表示することとすると、更に画像データの内容の確認が容易となる。
【００１４】
また、請求項３に記載の発明は、投影部により投影される投影面に、画像データ保存手段に保存された画像データをさらに並列して投影し、前記投影面に投影された画像データを、ユーザが選択することで印刷イメージを生成する。このため、画像データが前記投影面に投影されることから、見づらくなく、画像データの内容の確認が容易となり、画像データの選択作業を効率良く行うことが可能となる。
【００１５】
また、請求項４に記載の発明の外部入力手段は、複数種類のインターフェースにより画像データを取得可能なことを特徴とする。このため、様々種類のインターフェースに対応することが可能となり、本発明の印刷機能付きプロジェクタの利用の幅が広くなる。
【００１６】
また、請求項５に記載の発明の外部入力手段は、複数種類の画像フォーマットを取得可能なことを特徴とする。このため、様々種類の画像フォーマットに対応することが可能となり、本発明の印刷機能付きプロジェクタの利用の幅が広くなる。
【００１７】
また、請求項６に記載の発明の印刷イメージ生成手段は、一定の領域に１又は２以上の画像データを配置する、複数の印刷イメージのレイアウトから１の印刷イメージのレイアウトを選択して、印刷イメージを生成することを特徴とする。このため、ユーザが必要に応じて、印刷イメージのレイアウトを適宜変更することが可能となり、便利である。
【００１８】
また、請求項７に記載の発明は、一定の領域に配置される画像データを、ユーザが編集することを特徴とする。このため、画像データの大きさ、向き等を任意に変更することが可能となる。
【発明を実施するための最良の形態】
【００１９】
以下に、図面を参照しつつ本発明の好ましい実施の形態を示す。
図１は本発明の実施の形態を示す印刷機能付きプロジェクタの斜視図である。図１において、１は本発明の印刷機能付きプロジェクタである。１ａは印刷機能付きプロジェクタ１に設けられた表示部である。表示部１ａとして、本実施形態では、ＬＣＤ（Ｌｉｑｕｉｄ  Ｃｌｙｓｔａｌ  Ｄｉｓｐｌａｙの略、液晶表示素子）が使用されている。なお、表示部１ａは、ＰＤＰ（Ｐｌａｓｍａ  Ｄｉｓｐｌｙ  Ｐａｎｅｌの略、プラズマディスプレー）や有機ＥＬ等であっても差し支えない。１ｂは印刷機能付きプロジェクタ１に設けられた対物レンズであり、図１に示されるように、この対物レンズ１ｂを透過した画像が、スクリーン等の投影面８０に投影されるようになっている。１ｃは印刷用紙排出口であり、印刷された印刷用紙を排出するものである。１ｄは操作ボタン部であり、本発明の印刷機能付きプロジェクタの各種設定を行ったり、各種操作を行ったりするためのものである。
【００２０】
図２に、本発明の印刷機能付きプロジェクタのブロック図を示す。１０は投影部であり、画像をスクリーン等の投影面８０に投影するためのものである。この投影部１０は主に、光源、照明光学系、ＬＣＤ、対物レンズ１ｂとから構成されている。１１は印刷部であり、紙に画像を印刷するためのものであり、印刷された印刷物は、図１に示される印刷用紙排出口１ｃから排出されるようになっている。１２は表示部であり、図１に示される表示部１ａである。１３は操作ボタン部であり、図１に示される操作ボタン部１ｄである。また、この操作ボタン部１３には、印刷機能付きプロジェクタ１に設けられた操作ボタンだけでなく、無線により印刷機能付きプロジェクタ１を操作するリモートコントローラや、印刷機能付きプロジェクタ１に接続されたマウス等のポインティングディバイス等も含まれる。
【００２１】
１５は通信手段であり、外部から送信される送信データを受信して、この送信データに含まれる「画像データ」を取得するためのものである。この通信手段１５のインターフェースとして、ＶＧＡ（Ｖｉｄｅｏ  Ｇｒａｐｈｉｃｓ  Ａｒｒａｙの略）や、ＬＡＮ（Ｌｏｃａｌ  Ａｒｅａ  Ｎｅｔｗｏｒｋの略）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２、電回線その他通信インターフェースを含めることができる。あるいは通信手段１５として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。この通信手段１５により、コンピュータ装置、デジタルカメラ、ＦＡＸ、スキャナー等から出力される「画像データ」を取得する。
【００２２】
なお、「画像データ」のフォーマットとしては、ＪＰＥＧ（Ｊｏｉｎｔ  Ｐｈｏｔｏｇｒａｐｈｉｃ  Ｅｘｐｅｒｔｓ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  Ｇｒａｐｈｉｃｓの略）、ＧＩＦ（Ｇｒａｐｈｉｃｓ  Ｉｎｅｒｃｈａｎｇｅ  Ｆｏｒｍａｔの略）等の画像ファイルや、ビジネスソフトやグラフィカルソフトのファイル形式も含まれる。
【００２３】
１６は記憶媒体入力手段であり、この記憶媒体入力手段１６に、外部より記憶媒体５０を接続することにより、記憶媒体５０に保存されている「画像データ」を取得するようになっている。なお、記憶媒体５０には、コンパクトフラッシュ（登録商標）、ＳＤメモリーカード（登録商標）、メモリースティック（登録商標）等の不揮発性メモリーや、ＣＤ（コンパクトディスク）、ＤＶＤ、フロッピー（登録商標）ディスク、ＭＯ（Ｍａｇｎｅｔｏ  Ｏｐｔｉｃａｌ  Ｄｉｓｃの略、光磁気ディスク）等のリムーバブルディスクを含めることができ、記憶媒体入力手段１６は、これらの記憶媒体５０に対応したインターフェースとして選択可能になっている。
【００２４】
前記通信手段１５及び記憶媒体入力手段１６は、外部から入力される「画像データ」を取得する外部データ入力手段として機能する。なお、本発明の印刷機能付きプロジェクタ１は、通信手段１５及び記憶媒体入力手段１６のどちらか１つだけを備えた構成であっても差し支えない。
【００２５】
１７はＣＰＵ（Ｃｅｎｔｒａｌ  Ｐｒｏｃｅｓｓｉｎｇ  Ｕｎｉｔの略）であり、１８はＲＡＭ（Ｒａｎｄｏｍ  Ａｃｃｅｓｓ  Ｍｅｍｏｒｙの略）、１９はＲＯＭ（Ｒｅａｄ  Ｏｎｌｙ  Ｍｅｍｏｒｙの略）である。ＣＰＵ１７は、ＲＡＭ１８、ＲＯＭ１９と協動して、各種演算、処理をする。ＲＡＭ１８は、ＣＰＵ１７が処理するデータを一時的に保存するためのものである。
【００２６】
ＲＯＭ１９には、外部データ入力手段１９ａ、画像データ保存手段１９ｂ、印刷イメージ生成手段１９ｃ、印刷イメージ保存手段１９ｄ、画像変換手段１９e、印刷イメージ投影手段１９ｆ、印刷選択手段１９ｇ等のアプリケーションソフトが保存されている。これらのアプリケーションソフトは、ＣＰＵ１７で処理することにより、各種機能を実現している。
【００２７】
外部データ入力手段１９ａは、通信手段１５や記憶媒体入力手段１６から「画像データ」取得するものである。
【００２８】
画像データ保存手段１９ｂは、外部データ入力手段１９ａが取得した「画像データ」を、ＲＡＭ１８に一時的に保存させるものである。
【００２９】
印刷イメージ生成手段１９ｃは、ユーザが選択した、ＲＡＭ１８に保存された１又は２以上の「画像データ」を、一定の領域に配置して印刷イメージを生成する「印刷イメージ」を生成するものである。
【００３０】
印刷イメージ保存手段１９ｄは、印刷イメージ生成手段１９ｂが生成した「印刷イメージ」をＲＡＭ１８に保存するものである。
【００３１】
画像変換手段１９eは、「印刷イメージ」を、投影用の画像形式に変換するためのものである。例えば、「印刷イメージ」の色空間をＣＭＹＫ形式からＲＧＢ形式に変換する処理をする。
【００３２】
印刷イメージ投影手段１９ｆは、投影用の画像形式に変換された「印刷イメージ」を、投影部１０に出力するためのものである。
【００３３】
印刷選択手段１９ｇは、ユーザが操作ボタン部１３を操作することにより、ユーザが印刷することを選択した場合に、ＲＡＭ１８に記憶された「印刷イメージ」を、印刷部１１に出力する指令を出すものである。
【００３４】
図３に第１の実施形態のフローチャートを示す。この第１の実施形態は、記憶媒体５０内に保存されている「画像データ」を、記憶媒体入力手段１６を介して取得し、この「画像データ」を表示部１２で表示し、印刷部１１で印刷する実施形態である。印刷メイン処理が開始されると、Ｓ１「外部データ入力処理」に進む。このＳ１「外部データ入力処理」のフロー図を図４に示す。
【００３５】
図４において、外部データ入力処理が開始すると、Ｓ１１「外部データ入力処理開始」から、Ｓ１２「記憶媒体入力手段のチェック」の処理に進む。Ｓ１２の処理において、記憶媒体入力手段１６が、記憶媒体入力手段１６に記憶媒体５０が接続されていると判断した場合には、Ｓ１３「記憶媒体が接続された？」からＳ１４「記憶媒体内のデータをＲＡＭに保存」の処理に進む。
【００３６】
Ｓ１４の処理において、外部データ入力手段１９ａは、記憶媒体入力手段１６を介して記憶媒体５０から「画像データ」を取得し、画像データ保存手段１９ｂが、この「画像データ」をＲＡＭ１８に一時的に保存する。Ｓ１４の処理が終了すると、外部データ入力処理が終了し、図３のＳ２「印刷イメージ生成処理」に進む。
【００３７】
Ｓ２「印刷イメージ生成処理」のフロー図を図５に示す。印刷イメージ生成処理が開始されると、Ｓ２１「印刷イメージ生成処理開始」からＳ２２「レイアウト選択処理」に進む。図６にＳ２２「レイアウト選択処理」のフロー図を示す。
【００３８】
レイアウト選択処理が開始されると、Ｓ２２１「レイアウト選択処理開始」からＳ２２２「表示部にレイアウトの選択候補を表示」の処理に進む。Ｓ２２２の処理において、表示部１２に「印刷イメージのレイアウトの候補」が表示される。「印刷イメージのレイアウトの候補」には、図７に示されるように「個々の画像」を縦２行、横２列に配置するいわゆる「４ｉｎ１」や、縦１行、横２列もしくは縦２行、横１列に配置する「２ｉｎ１」や、縦２行、横３列もしくは縦３行、横２列に配置する「６ｉｎ１」等がある。レイアウトには「個々の画像」９０が１つのみからなるレイアウトも含まれる。
【００３９】
レイアウトや印刷イメージを選択する方法としては、レイアウトや個々の画像の選択候補を表示部１２に表示して設定する「第１の印刷イメージの設定方法」（図７に示す）と、レイアウトや個々の画像の選択候補を投影面８０に投影して設定する「第２の印刷イメージの設定方法」（図８に示す）とがある。どちらの設定方法で動作するかは、別処理により、あらかじめ設定されているものとし、ユーザが操作ボタン１３を操作することにより、これらの設定方法を任意に設定することができるようになっている。
【００４０】
図７に示される「第１の印刷イメージの設定方法」は、１又は２以上の「個々の画像」９０をレイアウトに従い一定の領域に並列して配置した「印刷イメージ」９１のみを投影面８０に投影する設定方法である。
【００４１】
一方で、「印刷イメージ」９１に配置される「個々の画像」９０は表示部１２に表示され、この表示部１２に表示された「個々の画像」９０を、後述するようにユーザが選択するようにしている。
【００４２】
図８に示される「第２の印刷イメージの設定方法」は、１又は２以上の「個々の画像」を一定の領域に並列して配置した「印刷イメージ」９５と、「印刷イメージ」に配置される「個々の画像の選択画面」９６の両方を投影面８０に投影して印刷イメージを設定する設定方法である。「印刷イメージ」９５は、前述したように「４ｉｎ１」、「２ｉｎ１」、「６ｉｎ１」や「個々の画像」が１つのみからなるレイアウトの「印刷イメージ」が含まれる。「個々の画像の選択画面」９６は、図８に示されるように「個々の画像」を並列して表示し、選択しようとする「個々の画像」を大きく表示する画面である。図８に示される実施形態では、選択しようとする「個々の画像」を「個々の画像の選択画面」９６の真ん中に大きく表示している。また、レイアウトの選択時には、「個々の画像の選択画面」９６の真ん中の画像を大きく表示することによって、レイアウトの選択候補が表示され選択可能としている。
【００４３】
本実施例では、真ん中の画像を大きくしているが、「個々の画像の選択画面」９６に並んだ画像を、ダブルクリックを行うことによって大きく表示してレイアウトの選択候補を表示させ、選択可能とすることも本発明の意図するところである。
【００４４】
Ｓ２２２の処理が終了すると、Ｓ２２３「レイアウトの選択候補の切り替え入力あり？」の判断に進む。
【００４５】
Ｓ２２３の判断で、ユーザが操作ボタン１３を操作することにより、「印刷イメージのレイアウトの選択候補」の切り替え入力があった場合には、Ｓ２２４「レイアウトの選択候補変更」の処理に進む。一方で、Ｓ２２３の判断において、印刷イメージのレイアウトの選択候補の切り替え入力がない場合には、Ｓ２２５「投影部がレイアウトを投影」の処理に進む。
【００４６】
Ｓ２２４の処理において、Ｓ２２３「レイアウトの選択候補の切り替え入力あり？」の判断で、ユーザが操作ボタン１３を操作する度に、「印刷イメージのレイアウトの選択候補」を順次Ｓ２２２の処理で表示させる処理をする。
【００４７】
Ｓ２２６の判断において、ユーザが操作ボタン１３を操作することにより、表示部１２に表示される「印刷イメージのレイアウトの選択候補」から、１の「印刷イメージのレイアウトの選択候補」を選択した場合には、Ｓ２２７「レイアウトの更新」の処理に進む。
【００４８】
Ｓ２２７の処理において、Ｓ２２５の処理で投影部１０が投影する「印刷イメージの選択候補」を、Ｓ２２６の判断でユーザが選択した「印刷イメージのレイアウトの選択候補」に更新する処理をする。
【００４９】
一方で、Ｓ２２６の判断において、ユーザが操作ボタン１３を操作しない場合には、Ｓ２２８「レイアウトの決定入力あり？」の判断に進む。Ｓ２２８の判断において、ユーザが操作ボタン１３を操作することによりレイアウトを決定した場合には、レイアウトの選択処理が終了して、図５のＳ２３「構成要素の選択処理」に進む。Ｓ２２８の判断において、ユーザが操作ボタン１３を操作しない場合には、Ｓ２２２の処理に戻る。
【００５０】
図９に、Ｓ２３「構成要素の選択処理」のフロー図を示す。構成要素の選択処理が開始すると、図９のＳ２３２「構成要素の選択候補を表示」の処理に進む。「第１印刷イメージの設定方法」では、Ｓ２３２の処理において、「個々の画像」のいずれか１を、「印刷イメージのレイアウト」に配置される「印刷イメージの構成要素の選択候補」として、表示部１２に表示する。一方で、「第２の印刷イメージの設定方法」では、Ｓ２３２の処理において、１の「印刷イメージの構成要素の選択候補」が「個々の画像の選択画面」９６の真ん中に大きく表示される。Ｓ２３２の処理が終了すると、Ｓ２３３「構成要素の選択候補の切り替えあり？」の判断に進む。
【００５１】
Ｓ２３３の判断において、ユーザが操作ボタン１３を操作することにより、「印刷イメージの構成要素の選択候補」の切り替え入力があった場合には、Ｓ２３４「構成要素の選択候補変更」の処理に進む。一方で、Ｓ２３３の判断において、ユーザが操作ボタン１３を操作しない場合には、Ｓ２３５「投影部が印刷イメージのプレビューを表示」の処理に進む。
【００５２】
Ｓ２３４の処理において、Ｓ２３３の判断でユーザが操作ボタン１３を操作する度に、「印刷イメージの構成要素の選択候補」を順次Ｓ２３２の処理で表示させる処理をする。
【００５３】
Ｓ２３５の処理では、後述するＳ２３７の処理においてＲＡＭ１８に一次的に保存された「印刷イメージ」がある場合には、画像変換手段１９eは、「印刷イメージ」を投影用の画像形式に変換し、印刷イメージ投影手段１９ｆは、投影用の画像形式に変換された「印刷イメージ」を投影部１０に出力する。投影部１０は「印刷イメージ」のプレビューを投影面８０に投影する。後述するＳ２３７の処理においてＲＡＭ１８に一次的に保存された「印刷イメージ」がない場合は、何も処理しない。Ｓ２３５の処理が終了すると、Ｓ２３６「構成要素の選択候補の選択入力あり？」の判断に進む。
【００５４】
Ｓ２３６の判断で、ユーザが操作ボタン１３を操作することにより、「印刷イメージの構成要素の選択候補」のなかから、１の「印刷イメージの構成要素の選択候補」を選択した場合には、Ｓ２３７「プレビューの更新」の処理に進む。
【００５５】
Ｓ２３７の処理において、印刷イメージ生成手段１９ｃは、「印刷イメージのレイアウト」に、Ｓ２３６の判断でユーザが選択した「印刷イメージの構成要素」を配置する処理をして「印刷イメージ」を生成する。Ｓ２３５の処理で投影部１０が投影する「印刷イメージ」を、このＳ２３７の処理で生成された前記「印刷イメージ」に変更する処理をする。
また、印刷イメージ保存手段１９ｄは、印刷イメージ生成手段１９ｃが生成した「印刷イメージ」をＲＡＭ１８に一次的に保存する。
【００５６】
一方で、Ｓ２３６の判断で「印刷イメージの構成要素の選択候補」の選択入力がない場合には、Ｓ２３９「構成要素の決定入力あり？」の判断に進む。Ｓ２３９の判断で、ユーザが操作ボタン１３を操作することにより、構成要素の選択が決定した場合には、Ｓ２３８に進み「構成要素の選択処理」が終了し、図５に示されるＳ２４「印刷イメージ生成処理」が終了し、図３のＳ２「印刷イメージ生成処理」が終了する。Ｓ２３９の判断で、ユーザが操作ボタン１３を操作されない場合は、Ｓ２３２に戻る。
【００５７】
ユーザが操作ボタン部１３を操作することにより、ユーザが印刷することを選択した場合には、Ｓ３「印刷が選択？」から、Ｓ４「印刷処理」に進む。Ｓ４の処理において、印刷選択手段１９ｇは、ＲＡＭ１８に保存された「印刷イメージ」を、印刷部１１に出力する指令を出して印刷を行い「印刷メイン処理」が終了する。
【００５８】
次に第２の実施形態について説明をする。この第２の実施形態は、通信手段１５が外部より「画像データ」を受信し、この「画像データ」を表示部１２で表示し、印刷部１１で印刷する実施形態である。この第２の実施形態は、図３に示される外部データ入力処理Ｓ１のみ第１の実施形態と相違する。第２の実施形態の外部データ入力処理のフロー図を図１０に示す。
【００５９】
印刷メイン処理が開始すると、図３のＳ１「外部データ入力処理」から、図１０のＳ９２「送信データのチェック」の処理に進む。
【００６０】
Ｓ９２の処理において、通信手段１５は、外部から通信手段１５への送信データがあるか否かをチェックする。外部から、送信データが通信手段１５に送信されると、Ｓ９３「データを受信？」からＳ９４「受信データをＲＡＭに保存」の処理に進む。
【００６１】
Ｓ９４の処理において、通信手段１５は送信データを受信し、この送信データに含まれる「画像データ」を取得し、画像データ保存手段１９ｂが、この「画像データ」をＲＡＭ１８に一時的に保存する。Ｓ９４の処理が終了すると、外部データ入力処理が終了し、図３のＳ２「印刷イメージ生成処理」に進む。以下のフローは第１の実施形態と同じである。
【００６２】
なお、本発明では、「印刷イメージのレイアウト」に配置される「個々の印刷イメージ」の大きさや向き等を、ユーザが編集することも可能である。また、「個々の印刷イメージ」を「印刷イメージのレイアウト」に配置した後であっても、ユーザが「個々の印刷イメージ」の大きさや向き等を編集したり、あるいは、「個々の印刷イメージ」を入れ替えたり、移動させたりすることも可能である。
【００６３】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う印刷機能付きプロジェクタもまた技術的範囲に包含されるものとして理解されなければならない。
【図面の簡単な説明】
【００６４】
【図１】本発明の実施の形態を示す印刷機能付きプロジェクタの斜視図である。
【図２】本発明の印刷機能付きプロジェクタのブロック図である。
【図３】第１の実施形態のフロー図である。
【図４】外部データ入力処理のフロー図である。（第１の実施形態）
【図５】印刷イメージ生成処理のフロー図である。
【図６】レイアウト選択処理のフロー図である。
【図７】第１の印刷イメージのレイアウトの説明図を示す。
【図８】第２の印刷イメージのレイアウトの説明図を示す。
【図９】構成要素選択処理のフロー図である。
【図１０】外部データ入力処理のフロー図である。（第２の実施形態）
【符号の説明】
【００６５】
１      印刷機能付きプロジェクタ
１ａ    表示部
１ｂ    対物レンズ
１ｃ    印刷用紙排出口
１ｄ    操作ボタン部
１０    投影部
１１    印刷部
１２    表示部
１３    操作ボタン部
１５    通信手段
１６    記憶媒体入力手段
１７    ＣＰＵ
１８    ＲＡＭ
１９    ＲＯＭ
１９ａ  外部データ入力手段
１９ｂ  画像データ保存手段
１９ｃ  印刷イメージ生成手段
１９ｄ  印刷イメージ保存手段
１９ｅ  画像変換手段
１９ｆ  印刷イメージ投影手段
１９ｇ  印刷選択手段
５０    記憶媒体
８０    投影面
９０    構成要素である画像
９１    印刷イメージ（第２のレイアウト）
９５    印刷イメージ（第２のレイアウト）
９６    構成要素である画像の選択画面
【図１】
2008282078.tif 000003
【図２】
2008282078.tif 000004
【図３】
2008282078.tif 000005
【図４】
2008282078.tif 000006
【図５】
2008282078.tif 000007
【図６】
2008282078.tif 000008
【図７】
2008282078.tif 000009
【図８】
2008282078.tif 000010
【図９】
2008282078.tif 000011
【図１０】
2008282078.tif 000012